(57)【要約】      （修正有）【課題】開閉蓋の開閉およびペットの出し入れを容易にできるペット用キャリーケースを提供する。【解決手段】内部にペットが収容されるケース本体１であって、ハンドル２が設けられる前側本体部１０と、ペットの出し入れを行う開口部が形成される後側本体部１１およびこの後側本体部１１の上に配置される開閉蓋１２と、を有するケース本体１と、収納されたペットを外部から確認可能な窓４，５と、ケース本体１の底部に設けられる車輪７と、を備え、前側本体部１０と後側本体部１１とは、縫製部１５により連結され、開閉蓋１２と、前側本体部１０及び後側本体部１１とは、線ファスナーにより連結されている。【選択図】図１
2020081624.tif 000002
【特許請求の範囲】
【請求項１】
内部にペットが収容されるケース本体であって、ハンドルが設けられる前側本体部と、ペットの出し入れを行う開口部が形成される後側本体部およびこの後側本体部の上に配置される開閉蓋と、を有するケース本体と、
収納されたペットを外部から確認可能な窓と、
前記ケース本体の底部に設けられる車輪と、を備え、
前記前側本体部と後側本体部とは、縫製により連結され、
前記開閉蓋と、前記前側本体部及び後側本体部とは、線ファスナーにより連結されていることを特徴とするペット用キャリーケース。
【請求項２】
前記窓は、前記開閉蓋に形成される開閉可能な第１窓を含むことを特徴とする請求項１に記載のペット用キャリーケース。
【請求項３】
前記第１窓は、開閉蓋の天面側と後側にまたがって形成され、左右に延びた横長形状に形成されていることを特徴とする請求項２に記載のペット用キャリーケース。
【請求項４】
前記窓は、ケース本体の側部に形成される開閉可能な第２窓を含むことを特徴とする請求項１〜３のいずれか１項に記載のペット用キャリーケース。
【請求項５】
前記窓には、その全面にネットが設けられていることを特徴とする請求項１〜４のいずれか１項に記載のペット用キャリーケース。
【請求項６】
前側本体部の前側に空気穴が形成されていることを特徴とする請求項１〜５のいずれか１項に記載のペット用キャリーケース。
【請求項７】
前記開閉蓋の天面側の前後方向の位置と、前記縫製の前後方向の位置は、同じになるように設定されていることを特徴とする請求項１〜６のいずれか１項に記載のペット用キャリーケース。
【請求項８】
前記開閉蓋の開閉ヒンジ部は、後側の底部近傍に設定されていることを特徴とする請求項１〜７のいずれか１項に記載のペット用キャリーケース。
【請求項９】
前記ケース本体の底部に着脱自在に敷板が配置され、この敷板は、開閉可能なカバー部材と、このカバー部材の内部に配置される敷板部材を備え、
この敷板部材は、硬質樹脂プレートと、軟質樹脂プレートが積層された構造であることを特徴とする請求項１〜８のいずれか１項に記載のペット用キャリーケース。
【発明の詳細な説明】
【技術分野】
【０００１】
本発明は、内部にペットが収容されるケース本体を有するペット用キャリーケース関するものである。
【背景技術】
【０００２】
かかるキャリーケースとして、下記特許文献１，２に開示されるものが知られている。特許文献１は、内部にペットが収容される箱状のケース本体と、上開き状態に開放可能な窓体を備えてケース本体の上方に取り付けた蓋体とから成るペット用キャリーケースを開示する。
【０００３】
特許文献２は、上下バッグの一部を連結し、他をファスナーで開閉自在とした上部バッグの前側部にＵ字形の切欠部を設け、上部バッグの後側上位部より前側下位部に前蓋を形成し、前蓋の上位部中央に切抜部と蓋片を形成したペット用バックを開示する。
【先行技術文献】
【特許文献】
【０００４】
【特許文献１】実用新案登録第３０６８００１号
【特許文献２】実開平４−１１７５６３号公報
【発明の概要】
【発明が解決しようとする課題】
【０００５】
特許文献１は、蓋体を開ける方向とハンドルの位置が干渉しており、蓋体を外すときにはハンドルが干渉しない位置に退避させておく必要があり煩雑である。また窓体を開放するときも同様である。特許文献２も同じように前蓋や蓋片を開放するときに持ち手が邪魔になる。
【０００６】
本発明は上記実情に鑑みてなされたものであり、その課題は、開閉蓋の開閉およびペットの出し入れを容易にできるペット用キャリーケースを提供することである。
【課題を解決するための手段】
【０００７】
上記課題を解決するため本発明に係るペット用キャリーケースは、
内部にペットが収容されるケース本体であって、ハンドルが設けられる前側本体部と、ペットの出し入れを行う開口部が形成される後側本体部およびこの後側本体部の上に配置される開閉蓋と、を有するケース本体と、
収納されたペットを外部から確認可能な窓と、
前記ケース本体の底部に設けられる車輪と、を備え、
前記前側本体部と後側本体部とは、縫製により連結され、
前記開閉蓋と、前記前側本体部及び後側本体部とは、線ファスナーにより連結されていることを特徴とするものである。
【０００８】
この構成によるペット用キャリーケースの作用・効果は以下の通りである。ケース本体は前側本体部と後側本体部と開閉蓋により構成される。なお、本発明において、説明の便宜上、前後左右の定義に関しては、ハンドルが設けられる方を前側と定義する。ハンドルは前側本体部に設けられる一方、開閉蓋は後側本体部の上に配置される。従って、開閉蓋の開閉動作を行うときにハンドルと干渉しない。前側本体部と後側本体部とは、縫製により連結されており、これにより強固なペット収容部をケース本体に形成することができる。開閉蓋と、前側本体部及び後側本体部とは、線ファスナーにより連結されており、ファスナーの開閉により開閉蓋を開閉することができる。ファスナーの開閉はハンドルの状態に関係なく行うことができる。また、ケース本体を強固に形成することで開閉蓋を大きくすることが可能になり、ペットの出し入れも容易になる。従って、開閉蓋の開閉およびペットの出し入れを容易にできる
本発明に係る前記窓は、前記開閉蓋に形成される開閉可能な第１窓を含むことが好ましい。これにより、開閉蓋を閉めたままで第１窓を開閉することができる。
【０００９】
本発明に係る前記第１窓は、開閉蓋の天面側と後側にまたがって形成され、左右に延びた横長形状に形成されていることが好ましい。
【００１０】
天面側と後側にまたがって第１窓を形成することで、窓の大きさを十分にとることができ、第１窓を開けることで通気性がよくなり、ペットの暑さ対策になる。
【００１１】
本発明に係る前記窓は、ケース本体の側部に形成される開閉可能な第２窓を含むことが好ましい。かかる第２窓を設けることでも、通気性をよくすることができる。また、第１窓や第２窓を設けることで、移動中にペットの状態を確認することができる。さらに、移動中にペットに餌や、水を与えることができる。
【００１２】
本発明において、前記窓には、その全面にネット（ネット状の構成を含む）が設けられていることが好ましい。これにより、ペットの状態を確認できると共に、ペットの不用意な飛び出しを防止できる。
【００１３】
本発明において、前側本体部の前側に空気穴が形成されていることが好ましい。これにより、ペット収容部の通気性を高めることができる。
【００１４】
本発明において、前記開閉蓋の天面側の前後方向の位置と、前記縫製の前後方向の位置は、同じになるように設定されていることが好ましい。
【００１５】
かかる構成により、縫製を全周にすることなく、強固なケース本体を形成することができる。
【００１６】
本発明において、前記開閉蓋の開閉ヒンジ部は、後側の底部近傍に設定されていることが好ましい。かかる構成により、開閉蓋を大きく開くことができ、ペットの出し入れが容易になる。
【００１７】
本発明において、前記ケース本体の底部に着脱自在に敷板が配置され、この敷板は、開閉可能なカバー部材と、このカバー部材の内部に配置される敷板部材を備え、
この敷板部材は、硬質樹脂プレートと、軟質樹脂プレートが積層された構造であることが好ましい。
【００１８】
かかる構成によれば、硬質樹脂プレートにより、地面や路面等からの反射熱を軽減でき、軟質樹脂プレートにより、クッションの機能を持たせることができる。また、開閉可能なカバー部材を設けることで、内部のプレートが汚れたときに取り出して洗浄することができる。
【図面の簡単な説明】
【００１９】
【図１】キャリーケースの外観を示す斜視図
【図２】キャリーケースの外観を示す後面図
【図３】キャリーケースの外観を示す側面図
【図４】キャリーケースの外観を示す前面図
【図５】キャリーケースの外観を示す平面図
【図６】開閉蓋を開いた状態を示す後部からみた外観斜視図
【図７】開閉蓋を開いた状態を示す側面図
【図８】紐と取り付け状態を示す斜視図
【図９】敷板の平面図
【図１０】敷板の断面図
【図１１】第１窓を開いた状態を示す外観斜視図
【図１２】第２窓を開いた状態を示す部分外観斜視図
【図１３】別実施形態に係る第２窓を示す斜視図
【発明を実施するための形態】
【００２０】
本発明に係るペット用キャリーケース（以下、キャリーケースと省略）の好適な実施形態をまず説明する。なお、ペットとしては犬や猫が例示されるが、特定のペットに限定されるものではない。図１は、キャリーケースの外観を示す斜視図である。図２は、図１に示すキャリーケースの後面図である。図３は、同じく側面図である。図４は、同じく前面図である。図５は、同じく平面図である。
【００２１】
キャリーケースは、内部にペットが収容されるケース本体１を有する。ケース本体１は、第１ハンドル２および第２ハンドル３を有する前側本体部１０と、ペットの出し入れを行う開口部が形成される後側本体部１１と、この後側本体部１１の上部に配置される開閉蓋１２を備えている。なお、説明の便宜上、ハンドル２，３が配置される側を前側とし、開閉蓋１２が配置される側を後側と定義する。左右方向は前後方向と直交する方向として定義される。
【００２２】
開閉蓋１２は、その周囲が線ファスナー１３（いわゆるジッパー、チャック）により、前側本体部１０および後側本体部１１に連結される。線ファスナー１３の両側には樹脂製のパイプ１４が設けられている。線ファスナー１３やパイプ１４は、公知のものを使用することができる。線ファスナー１３には引手１３ａが２つ設けられて、開閉蓋１２を開閉できるようにしている。開閉蓋１２は、後側の底面に近い部分にヒンジ１３ｂを有しており、引手１３ａをヒンジ１３ｂの両側まで移動させることで、開閉蓋１２を開き開口部を大きくとることができる。
【００２３】
前側本体部１０と後側本体部１１は、ケース本体１の前後方向の中央で縫製部１５により結合される。すなわち、前側本体部１０の前後方向の長さと、後側本体部１１の前後方向の長さは、同一あるいはほぼ同一である。縫製部１５は、縫製帯１５ａと縫製糸１５ｂからなり、前側本体部１０と後側本体部１１とを強固に結合し、ケース本体１の内部にペット収容部が形成される。縫製部１５は、ケース本体１の左側面の上下方向の中央付近（実施形態では中央よりすこし上）から垂直下方に延び、さらに底面にのびて、反対側の右側面の上下方向の中央付近（実施形態では中央よりすこし上）へと延びる。これにより、前側本体部１０と後側本体部１１の強固な連結を実現することができる。
【００２４】
縫製帯１５ａの幅寸法は結合強度を考慮して適宜決めることができる。縫製糸１５ｂは２列の縫製を行っているが、何列にするか、縫製の態様等については、適宜決めることができる。
【００２５】
線ファスナー１３は、天面側に位置する天面ライン１３ｃ（図５参照）と、天面ライン１３ｃの左右両側に続く垂直ライン１３ｄと、垂直ライン１３ｄに続く斜めライン１３ｅと、斜めライン１３ｅに続く底部ライン１３ｆにより構成される。天面ライン１３ｃと左右の垂直ライン１３ｄの前後方向の位置は、縫製部１５と同じである。すなわち、これらは同一直線上に位置する。従って、縫製部１５は全周設ける必要はなく、垂直ライン１３ｄの下端までで足りる（特に図３参照）。
【００２６】
垂直ライン１３ｄと斜めライン１３ｅとは、緩やかなＲにより接続され、後側に行くほど底面に近づく斜線を構成する。斜めライン１３ｅと底面ライン１３ｆも緩やかなＲで接続される。底面ライン１３ｆとヒンジ１３ｂは一直線上に位置する。また、底面ライン１３ｆは、ケース本体１の底面よりも少し上方に位置する。
【００２７】
第１ハンドル２は、伸縮可能な左右一対のパイプ部２０と、持ち手２１により構成される。図１は、第１ハンドル２を最も伸ばした状態を示しているが、ケース本体１（前側本体部１０）の内部に完全に収納することができる。第２ハンドル３は前側本体部１０の天面に設けられた持ち手である。第１ハンドル２及び第２ハンドル３は、いずれも公知の構造を採用することができる。第１ハンドル２は、前側本体部１０の最も前側に位置し、第２ハンドル３は、線ファスナー１３に近い位置に設けられる。
【００２８】
後側本体部１１には、第１窓４が設けられている。第１窓４は、窓開閉蓋４０と線ファスナー４１と、線ファスナー４１の両側に設けられたパイプ４２と、ヒンジ４３と、引手４４により構成される。第１窓４は、開閉蓋１２の天面側と後部側にまたがって形成されている。
【００２９】
一対の引手４４を操作してヒンジ４３の両側に移動することで、窓開閉蓋４０をヒンジ４３周りに回転させて第１窓４を開くことができる。第１窓４は横長に形成されており、開閉蓋１２を閉じたままで第１窓４を開くことができる。第１窓４を設けることで、内部のペットの様子を確認したり、通気性を良くすることができる。なお、第１窓は横長に限定されるものではなく、縦長、丸型など種々の形状を採用することができる。
【００３０】
図１１は、第１窓４を開いた状態を示す。窓開閉蓋４０がヒンジ４３周りに下方に開いた状態を示している。第１窓４にはネット４４が張られている。ネット４４により、通気性を確保すると共に、ペットが不用意に第１窓４から顔や手足を出せないようにしている。第１窓４を横長にして大きくすることで、移動中に暑い時期であっても、開閉蓋４をわざわざ開くことなく空気の通りを良くすることができる。従って、暑さに弱いペットに対して有効である。
【００３１】
第２窓５は、ケース本体１（前側本体部１０）の左右側部に設けられている。図３、図１２に示すように、第２窓５は、窓枠５０と、窓開閉蓋５１を備えており、窓枠５０の下部に設けたヒンジ５３周りに回転可能である。窓枠５０は、硬質の樹脂製であり、前側本体部１０の側面に固着される。窓開閉蓋５１は、多数の横スリット５４が形成されており、通気性を確保すると共に内部のペットの様子を確認することができる。。窓開閉蓋５１も硬質の樹脂製である。窓開閉蓋５５にはロック爪５５が一体形成されており、窓枠５０に形成した切欠部５２に係止される。ロック爪５５を操作して弾性変形させることで係止状態を解除することで第２窓５を開くことができる。
【００３２】
図４に示すように、前側本体部１０の前面に空気穴６が設けられる。空気穴６には、横長のスリット６ａが複数上下方向に沿って配置される。空気穴６は、上下に２カ所設けられている。かかる空気穴６により、内部の通気性を良くすることができる。空気穴６やスリット６ａの個数や形状については種々の変形例が可能である。空気穴６の形状は横長のスリット６ａに限定されるものではなく、縦長、丸型など種々の形状を採用することができる。
【００３３】
ケース本体１の底面には合計４個の車輪７が設けられる。車輪７は前側本体部１０の底面に２個、後側本体部１１の底面に２個配置される。前側本体部１０の２個の車輪７には車輪７が不用意に回転しないようなロック機構が設けられる。ただし、ロック機構をどの車輪７に設けるかは適宜決めることができる。本実施形態の車輪７は、シングルタイヤにするかダブルタイヤにするかは適宜決めることができる。
【００３４】
図６は、開閉蓋１２を開いた状態を示す後部から見た斜視図である。図７は、同じく側部から見た外観図である。前側本体部１０に設けられた調整帯１０ａと後側本体部１１に設けられた調整帯１２ａが結合されており、開閉蓋１２をフルに開いた状態であっても、開閉蓋１２が地面に触れることがない。調整帯１０ａと調整帯１２ａは、面ファスナー同士で結合されており、結合状態を調整することで開閉蓋１２の開いた角度を適宜調整することができる。ペットの大きさに合わせて、開閉蓋４を開いたときの開口部の大きさを自由に設定することができる。また、開閉蓋１２自体を大きくとることができ、ペットの出し入れが容易になる。
【００３５】
図６に示すように、ケース本体１の内部の空気穴６に対応する位置にネット６０が取り付けられている。これにより、空気穴６から大きな粉塵やごみが侵入することを防止することができる。
【００３６】
さらに、ケース本体１の底面には敷板９が取り出し自在に配置される。敷板９も設けることで移動中もペットが快適にケース本体１の内部で過ごすことができる。
【００３７】
図８に示すように、前側本体部１０の側面内部に紐８が固定されている。紐８の先端には金具８ａ（ナスカン）が設けられており、これを利用してペットをつないでおくことができる。これにより、開閉蓋４を開いたときに不用意にペットが逃げ出さないようにすることができる。図８において、金具８ａのついた紐８は１個のみ示されるが、実際は２個設けられる。ただし、何個設けるかは適宜設定できるものである。
【００３８】
図９は、敷板９の平面図を示し、図１０は、敷板９の断面図を示す。敷板９は平板状に形成され、第１ハンドル２のパイプ２０が配置される箇所には切欠９ａが形成される。図１０に示すように、敷板９は、カバー部材９０と、内部に配置される硬質樹脂プレート９１と、軟質樹脂プレート９２を備えている。硬質樹脂プレート９１と軟質樹脂プレート９２は積層された敷板部材として一体化されており、硬質樹脂プレート９１の方が下側に位置する。かかる硬質樹脂プレート９１を設けることで、地面等からの反射熱を反射することができ、ペット収容部が高温になるのを抑制することができる。
【００３９】
また、上方に軟質樹脂プレート９２を配置することで、移動中でもペットが快適に過ごせるようにしている。カバー部材９０の側面には線ファスナー９３が設けられており、内部の敷板部材を取り出すことができ、汚れたときに洗浄できるようにしている。
【００４０】
＜窓の別実施形態＞
図１３は、別実施形態に係る第２窓５の正面図である。第２窓５は、窓枠５００と、窓枠内に設けられるネット５０１と、窓枠５００に設けられたつまみ（不図示）を有する。ネット５０１を設けることで、通気性を高めると共に、内部のペットの様子を確認することができる。つまみを引っ張ると、窓枠５００及びネット５０１がヒンジ（窓枠５００の下端）周りに下方に回転して第２窓５をあけることができる。窓枠５００の裏面には面ファスナー５０２が設けられており、前側本体部１０の側面に設けられた面ファスナー５０３と係合及び離脱が可能である。面ファスナー５０２の形状に対応して面ファスナー５０３も枠型に形成される。
【００４１】
＜別実施形態＞
第１窓４は、天面側と後側にまたがって形成されているが、これに限定されるものではない。天面側のみに形成してもよいし、後面側のみに形成してもよい。
【符号の説明】
【００４２】
１        ケース本体
１０      前側本体部
１１      後側本体部
１２      開閉蓋
１３      線ファスナー
１３ａ    引手
１３ｂ    ヒンジ
１４      パイプ
１５      縫製部
１５ａ    縫製帯
１５ｂ    縫製糸
２        第１ハンドル
３        第２ハンドル
４        第１窓
４０      窓開閉蓋
４１      線ファスナー
４４      ネット
５        第２窓
５０      窓枠
５１      ネット
６        空気穴
６ａ      スリット
７        車輪
８        紐
９        敷板
９０      カバー部材
９１      硬質樹脂プレート
９２      軟質樹脂プレート
【図１】
2020081624.tif 000003
【図２】
2020081624.tif 000004
【図３】
2020081624.tif 000005
【図４】
2020081624.tif 000006
【図５】
2020081624.tif 000007
【図６】
2020081624.tif 000008
【図７】
2020081624.tif 000009
【図８】
2020081624.tif 000010
【図９】
2020081624.tif 000011
【図１０】
2020081624.tif 000012
【図１１】
2020081624.tif 000013
【図１２】
2020081624.tif 000014
【図１３】
2020081624.tif 000015